(57)【要約】      （修正有）【課題】摘み部分において、容器本体と蓋部材を容易に離反させて、引き剥がすことができる深絞り包装体を提供すること【解決手段】被包装物を収納するポケット部２ａを有する下側フィルム２と、開口部を閉塞する上側フィルム５を備え、両フィルムをポケット部２ａの外側で全周に渡って熱シールして密封する。包装体の外周縁の一端には、両フィルムが未接着の摘み部分３２を備える。摘み部分３２における下側フィルム２には、折り曲げ部となる凹部２ｃが設けられ、先端側がポケット部２ａの突出する方向と反対側に持ち上がった姿勢となり、それにともない摘み部分３２における上側フィルム５の先端も持ち上げられるとともに、下側フィルム２の折り曲げ部となる凹部２ｃの部位と、上側フィルム５が離反するように構成した。【選択図】図７
2014114036.tif 000002
【特許請求の範囲】
【請求項１】
間欠的に搬送される下側フィルムに対し、凹状のポケット部を成型する成型装置と、
その成型装置の下流側に配置され、前記ポケット部内に被包装物が挿入された状態の前記下側フィルムに対して上側フィルムを被覆する手段と、
前記上側フィルム並びに前記下側フィルムの所定部位をシールして前記ポケット部を密封するシール装置と、
前記上側フィルム並びに前記下側フィルムの所定部位をカットして、個々の包装体を製造するカット手段とを備えた深絞り包装機であって、
前記成型装置は、前記ポケット部を成型する凹所を備えた下型を有し、前記凹所に隣接する前記下型の上面に、前記凹所側から離反する方向に順に複数の凸部を設けるとともに、その複数の凸部間に形成される凹溝を有し、前記下側フィルムをその凸部と凹溝に沿って成型することで、前記個々の包装体において前記凹溝に沿って形成した部分で折れ曲がるようにし、
前記シール装置は、前記成型装置の前記凸部と前記凹溝に沿って成型されたフィルム部位はシールしないように構成したことを特徴とする深絞り包装機。
【請求項２】
前記凸部の上面は、凹凸を形成したことを特徴とする請求項１に記載の深絞り包装機。
【請求項３】
前記凹凸は、微小で多数の凹凸或いは前記凹溝と平行に延びる複数の凸条により形成されることを特徴とする請求項２に記載の深絞り包装機。
【請求項４】
前記凸部の外周縁は、前記包装体の外周縁の形成位置よりも内側に位置するレイアウトとすることを特徴とする請求項１から３のいずれかに記載の深絞り包装機。
【請求項５】
被包装物を収納するポケット部を有する容器本体と、
前記ポケット部内に被包装物を収納した状態でその容器本体の開口部を閉塞する蓋部材とを備え、
前記容器本体と前記蓋部材は、前記ポケット部の外側に突出する部位で全周に渡って熱シールされることで前記ポケット部の内部を密封される深絞り型包装体であって、
前記深絞り型包装体の外周縁の端部の少なくとも一箇所に、前記容器本体と前記蓋部材が未接着の摘み部分を備え、
その摘み部分における前記容器本体の部位は、熱シールされた部位に隣接する根元側から先端側に至る少なくとも一箇所に折り曲げ部を有し、その折り曲げ部により先端側が前記ポケット部の突出する方向と反対側に持ち上がった姿勢となり、
前記摘み部分における前記蓋部材の先端は、前記容器本体の前記先端側により持ち上げられるとともに、前記折り曲げ部と前記蓋部材が離反するように構成したことを特徴とする深絞り型包装体。
【請求項６】
前記摘み部分における前記容器本体の部位には、熱シールされた部位に隣接する根元側から先端側に沿って順に複数の凸部を形成し、
前記凸部は、前記ポケット部の突出する方向と反対側に突出するように形成し、その複数の凸部の間に形成される凹溝により前記折り曲げ部を構成することを特徴とする請求項５に記載の深絞り型包装体。
【請求項７】
前記凹溝の底部は、前記ポケット部側に突出しないようにしたことを特徴とする請求項６に記載の深絞り型包装体。
【請求項８】
前記凸部の外側に前記容器本体の外周縁を位置させ、当該外周縁に前記凸部の上面よりも一段低い領域を設けることを特徴とする請求項６または７に記載の深絞り型包装体。
【発明の詳細な説明】
【技術分野】
【０００１】
本発明は、深絞り型包装体及び深絞り包装機に関するもので、より具体的には、深絞り型包装体の開封をしやすくするための摘み部分の改良に関する。
【背景技術】
【０００２】
食品の長期保存や、製品の酸化防止を図る場合に、真空処理が施された深絞り型包装体がある。深絞り型包装体は、被包装物を収納するポケット部を有する容器本体と、そのポケット部内に被包装物を収納した状態でその容器本体の開口部を閉塞する蓋部材とを備えた構成を採る。容器本体は、ポケット部の周囲に外側に突出するフランジ部を有し、蓋部材はそのフランジ部の全周に渡って熱シールされることで無端状のシール部が形成され、ポケット部の内部を密封するようになっている。容器本体並びに蓋部材は、それぞれ所定材質のフィルムから構成される。
【０００３】
容器本体を構成するフィルムは、例えば蓋部材を構成するフィルムに対して肉厚とするとともに、比較的硬質な材質のものを用い、ポケット部の形状もある程度保持されるものや、剛性のない軟らかいフィルム材から形成されたソフトブリスターパックなどとも称されるものなどがある。
【０００４】
容器本体のフランジ部の全面に蓋部材を熱シールし、フランジ部と蓋部材の外周縁を一致させた場合、フランジ部から蓋部材を引きはがすことが非常に困難となる。そこで、係る構成の深絞り型包装体の開封を容易にするために、たとえば、特許文献１に示された包装体のように、蓋部材の外周縁の一部をフランジ部と未接着にし、摘み部分を形成したものがある。この構造からなる深絞り型包装体では、その摘み部分を指で挟み持った状態で蓋部材をフランジ部から引き離す方向に引っ張ることで、簡単に当該蓋部材をフランジ部から離脱させて開封することができる。
【０００５】
そして、特許文献１に開示された発明では、さらに摘み部分の形状に特徴を持たせている。未接着部の容器本体にポケット部の突き出たのと同じ側に突出する凸部を少なくとも一つ形成し、手指等で擦った際に手指等に容器本体が引っ掛かるように当該凸部を構成している。これにより、摘み部分の蓋体と容器本体とを手指等で擦ることにより、凸部が滑り止めとなって手指等に引っ掛かり、開封開始端である摘み部分の蓋体と容器本体とを容易に分離することができ、深絞り型包装体を開封するきっかけを容易に形成することができるという効果を発揮するようにしている。
【先行技術文献】
【特許文献】
【０００６】
【特許文献１】特許第４２２００２７号公報
【発明の概要】
【発明が解決しようとする課題】
【０００７】
特許文献１に開示された発明では、凸部に手指等が引っかかるというものの、実際には凸部の突出量は小さく引っかかりづらく開封しにくくなる場合も多々あると言う課題がある。さらに、摘み部分における容器本体のフランジ部と蓋部材は、熱シールはされないものの凸部以外の全面で接触しているとともに外周縁は接触する構造となっているので、密着して剥がれにくくなるおそれもあると言う課題もある。
【課題を解決するための手段】
【０００８】
上述した課題を解決するために、本発明の深絞り包装機は、（１）間欠的に搬送される下側フィルムに対し、凹状のポケット部を成型する成型装置と、その成型装置の下流側に配置され、前記ポケット部内に被包装物が挿入された状態の前記下側フィルムに対して上側フィルムを被覆する手段と、前記上側フィルム並びに前記下側フィルムの所定部位をシールして前記ポケット部を密封するシール装置と、前記上側フィルム並びに前記下側フィルムの所定部位をカットして、個々の包装体を製造するカット手段とを備えた深絞り包装機であって、前記成型装置は、前記ポケット部を成型する凹所を備えた下型を有し、前記凹所に隣接する前記下型の上面に、前記凹所側から離反する方向に順に複数の凸部を設けるとともに、その複数の凸部間に形成される凹溝を有し、前記下側フィルムをその凸部と凹溝に沿って成型することで、前記個々の包装体において前記凹溝に沿って形成した部分で折れ曲がるようにし、前記シール装置は、前記成型装置の前記凸部と前記凹溝に沿って成型されたフィルム部位はシールしないように構成した。
【０００９】
本発明によれば、ポケット部が形成される下側フィルムにおける成型装置の凸部・凹溝に沿って形成した部分は、後段のシール装置でシールされないので、係る部分では下側フィルムと上側フィルムは未接着となる。そして、前記成型装置の凹溝に沿って形成されるフィルム部位は、包装体で折れ曲がるため、上側フィルムの先端も持ち上げ、さらに折り曲げ部を備えることで未接着部分における上側フィルムと下側フィルムが面接触することが阻止できる。よって、未接着の摘み部分において、両フィルムを容易に離反させて、引き剥がすことができる。
【００１０】
（２）前記凸部の上面は、凹凸を形成するとよい。（３）前記凹凸は、微小で多数の凹凸或いは前記凹溝と平行に延びる複数の凸条により形成されるようにするとよい。また、エンボス加工その他の各種の態様をとることができる。凹凸が形成されるとで、開封時に指が引っかかりやすく、フィルムを保持して開けやすくなる。
【００１１】
（４）前記凸部の外周縁は、前記包装体の外周縁の形成位置よりも内側に位置するレイアウトとするようにするとよい。このようにすると、凸部の外周縁が一段低くなり、上側フィルムの外周縁との間で隙間が形成される。よって、上側フィルムと下側フィルムの間に指先、爪などを挿入しやすくなる。
【００１２】
（５）本発明に係る深絞り型包装体は、被包装物を収納するポケット部を有する容器本体と、前記ポケット部内に被包装物を収納した状態でその容器本体の開口部を閉塞する蓋部材とを備え、前記容器本体と前記蓋部材は、前記ポケット部の外側に突出する部位で全周に渡って熱シールされることで前記ポケット部の内部を密封される深絞り型包装体であって、前記深絞り型包装体の外周縁の端部の少なくとも一箇所に、前記容器本体と前記蓋部材が未接着の摘み部分を備え、その摘み部分における前記容器本体の部位は、熱シールされた部位に隣接する根元側から先端側に至る少なくとも一箇所に折り曲げ部を有し、その折り曲げ部により先端側が前記ポケット部の突出する方向と反対側に持ち上がった姿勢となり、前記摘み部分における前記蓋部材の先端は、前記容器本体の前記先端側により持ち上げられるとともに、前記折り曲げ部と前記蓋部材が離反するように構成した。
【００１３】
本発明によれば、深絞り型包装体の摘み部分において、容器本体側に折り曲げ部を形成し容器本体の先端が持ち上がることで、蓋部材の先端も持ち上げることできる。さらに折り曲げ部を備えることで、蓋部材と折り曲げ部との間に隙間を確保し、容器本体と蓋部材と容器本体が面接触することを阻止することができる。よって、摘み部分において、容器本体と蓋部材を容易に離反させて、引き剥がすことができる。
【００１４】
（６）前記摘み部分における前記容器本体の部位には、熱シールされた部位に隣接する根元側から先端側に沿って順に複数の凸部を形成し、前記凸部は、前記ポケット部の突出する方向と反対側に突出するように形成し、その複数の凸部の間に形成される凹溝により前記折り曲げ部を構成するとよい。この場合において、例えば、（７）前記凹溝の底部は、前記ポケット部側に突出しないようにするとよい。
【００１５】
（８）上記の（６），（７）の構成を前提とし、前記凸部の外側に前記容器本体の外周縁を位置させ、当該外周縁に前記凸部の上面よりも一段低い領域を設けるようにするとよい。
【発明の効果】
【００１６】
本発明によれば、深絞り型包装体の摘み部分において、容器本体側に折り曲げ部を形成し容器本体の先端が持ち上がることで、蓋部材の先端も持ち上げ、さらに折り曲げ部を備えることで蓋部材と容器本体が面接触することを阻止することができる。よって、摘み部分において、容器本体と蓋部材を容易に離反させて、引き剥がすことができる。
【図面の簡単な説明】
【００１７】
【図１】本発明に係る深絞り包装機の一実施形態を示す図である。
【図２】成型装置を構成する下側ボックスを示す平面図である。
【図３】（ａ）は図２中Ａ−Ａ線矢視断面図であり、（ｂ）は図２中Ｂ−Ｂ線矢視における上型と下型を示す断面図である。
【図４】（ａ）は摘み成形部を示す部分拡大図であり、（ｂ）はその他の実施形態を示す図である。
【図５】シール装置を構成する下側ボックスを示す平面図である。
【図６】図５中Ｃ−Ｃ線矢視における上側ボックスと下側ボックスを示す断面図である。
【図７】本発明に係る深絞り型包装体の好適な一実施形態を示す図で、（ａ）は平面図、（ｂ）は（ａ）図におけるＤ−Ｄ線矢視断面図で、（ｃ）は摘み部を拡大して示す図である。
【図８】本発明に係る深絞り型包装体の好適な他の実施形態を示す図で、（ａ）は平面図、（ｂ）は（ａ）図におけるＥ−Ｅ線矢視断面図である。
【発明を実施するための形態】
【００１８】
図１は、本発明に係る深絞り包装機の好適な一実施形態の全体図を示している。本実施形態の深絞り型包装機は、上流側に下側フィルム供給装置１を配置する。この下側フィルム供給装置１は、回転自在に２本の原反ロール２′がセットされ、一方の原反ロール２′から連続して引き出された帯状の下側フィルム２が、複数のローラに掛け渡されて搬送され、次段のフィルム搬送装置３に供給される。なお、他方の原反ロール２′は、交換用の予備であり、一方の原反ロール２′から完全に帯状の下側フィルム２が引き出されたならば、その後端に他方の原反ロール２′から引き出される下側フィルム２の先端を接着テープ等で接続することで連続して運転できるようになっている。
【００１９】
フィルム搬送装置３は、図示省略するが、一対のスプロケット間に渡設されたエンドレスチェーンの所定間隔毎に配設された爪部材にて、下側フィルム２の両側縁をつかみ、そのまま下側フィルム２を前進移送するようになっている。そして、下側フィルム２の搬入側近傍には、成型装置６が配設されている。この成型装置６は、下側フィルム２を真空吸引し、下側フィルム２の所定位置に下側に突出する凹状のポケット部を成型する。
【００２０】
また、成型装置６の進行方向前方には、被包装物供給エリアが設けられており、そのエリア内でポケット部内に被包装物を順次供給するようになっている。なお、係る供給は、機械による自動供給でもよく、あるいは人手による供給でもよい。
【００２１】
更に、下側フィルム２の搬送路の略中央上方部には上側フィルム供給装置４が配置される。この上側フィルム供給装置４は、回転自在に原反ロール５′が配設され、その原反ロール５′から連続して引き出された上側フィルム５を、下側フィルム２の上方を被覆するように供給する。
【００２２】
さらにまた、上側フィルム５の被覆点より進行方向前方には、シール装置１０が配設される。シール装置１０は、下側フィルム２と上側フィルム５の所定位置、つまり、ポケット部の周囲の両フィルム２，５の接触部位を上下から挟み込むとともに加熱して熱シールする。これにより、被包装物がポケット部内に密封される。また、このシール装置１０にポケット部内の空気を吸引除去する機能を設け、両フィルム２，５を熱シールする前にポケット部内の空気を吸引除去することで、被包装物がポケット部内にて真空状態で密封するように構成している。なお、係る空気を除去する機能は必ずしも備える必要はなく、シールのみする構成としても良いし、吸引除去してポケット部内を真空にする機能に替えて、所定のガスを充填する機能を設けることで、ポケット部内を窒素等の不活性ガスに置換するようにしてもよい。
【００２３】
さらにシール装置１０は、ポケット部が形成されていない下側フィルム２と上側フィルム５の対向するフィルムのほぼ全面をシールするようになっているが、シール面の一部に凹部を設け、フィルムの一部の領域に未シール部を形成するようになっている。この未シール部を形成する領域は、ポケット部の４つの角部のうちの１つの先端側とし、最終的な包装体における摘み部分を構成する位置としている。なお、詳細な構成は後述する。
【００２４】
シール装置１０の更に進行方向前方には、横カッター装置７並びに縦カッター装置８が配設されており、下側フィルム２と上側フィルム５の所定位置を横方向，縦方向にそれぞれ切断し、個々の深絞り型包装体ごとに分離製造する。これらの点では、従来の真空包装装置と概略同一構成である。
【００２５】
図２〜図４は、成型装置６の具体的な構成を示している。同図に示すように、成型装置６は、下側フィルム２を挟むように上下に配置された上型１１と下型１２とを備える。両型１１，１２は、下側フィルム２の搬送タイミングに合わせて昇降移動する。そして、上型１１と下型１２が接近移動することで、両型１１，１２は下側フィルム２を上下から挟み込んで保持する。
【００２６】
上型１１は、扁平な矩形状からなり、その下面に底浅の凹所１１ａを設ける。これにより、上型１１の下面は、その外周縁に沿って凸部１１ｂの枠が形成される。また、凹所１１ａ内には、熱板１３が配置される。
【００２７】
下型１２は、上型１１とほぼ同形状の平面形状を有し、上面１２ｄの所定位置に凹部１２ａを備える。本実施形態では、２行２列の合計４個の凹部１２ａを備える。上型１１と下型１２が離反した状態では、共に下側フィルム２から離れる。これにより下側フィルム２はスムーズに前進移動する。所定のタイミングで上型１１と下型１２が昇降することで、上型１１の凸部１１ｂと、下型１２の上面１２ｄの周縁との間で下側フィルム２を挟み込んで保持する。これにより、熱板１３から発する熱により下側フィルム２が加熱される。
【００２８】
また、凹部１２ａの底面には、下型１２を上下に貫通する透孔１２ｂが形成され、それら透孔１２ｂは、下型１２内に形成した所定の排気通路１２ｃに連通され、その排気通路１２ｃを介して外部に配置された図示省略の真空ポンプと連通可能となる。なお、当該排気通路と真空ポンプの間には、開閉バルブ（図示せず）が設けられており、真空ポンプと凹部１２ａとが連通したり、遮断したりできるようにしている。
【００２９】
よって、上型１１と下型１２が接近移動して下側フィルム２を挟み込んだ状態になると、下型１２の凹部１２ａの上方は下側フィルム２にて閉塞される。そして、その状態で、真空ポンプと凹部１２ａを連通することで、凹部１２ａ内等に存在する空気を吸引し除去すると、下側フィルム２にも負圧がかかり熱板１３の熱により軟化されていたフィルム部位は変形、延びやすくなっていることも相まって、凹部１２ａの内形状に沿った形状に加工されてポケット部が形成される。係る構成は、基本的に従来の成型装置６と同様である。
【００３０】
ここで本発明では、図２，図４（ａ）に示すように、下型１２の上面１２ｄの所定位置に、摘み成形部１５を設けている。摘み成形部１５を設ける所定位置は、凹部１２ａの４角のうちの一箇所の外側に隣接する位置としている。この隣接する位置は、最終的な深絞り型包装体における４角のうちの一角に対応する位置となり、その深絞り型包装体の外周縁に臨むレイアウトとしている。
【００３１】
摘み成形部１５は、下型１２の上面１２ｄよりも上方に所定の間隔をおいて配置される複数の凸部と、その複数の凸部間に形成される凹溝を有し、その凹溝に対向するフィルム部位に折り曲げ部を形成するようにしている。本実施形態では、第一凸部１５ａと第二凸部１５ｂの２つの凸部を備える。第一凸部１５ａは、凹所１２ａ側に配置し、その平面形状は等脚台形とし、第二凸部１５ｂは凹所１２ａから離れた側（深絞り型包装体の先端側）に配置し、その平面形状は直角二等辺三角形状としている。第一凸部１５ａの斜辺と、第二凸部１５ｂの斜辺はほぼ同一直線状に位置し、両凸部１５ａ，１５ｂを合わせた全体では大きな直角二等辺三角形が形成される。また、両凸部１５ａ，１５ｂは、最終的に製造される深絞り型包装体の形成領域における一つのコーナー部分の外周縁よりは少し内側に位置するようにしている。
【００３２】
そして、両凸部１５ａ，１５ｂは、凹所１２ａ側から順に離反するように配置されるとともに、所定の間隔をおいて形成されており、両凸部１５ａ，１５ｂの間には、直線状の凹溝１５ｃが形成される。この凹溝１５ｃの底面には、下型１２を上下に貫通する透孔１５ｄが形成され、それら透孔１５ｄは、下型１２内に形成した所定の排気通路１２ｃ′に連通され、その排気通路１２ｃ′を介して外部に配置された図示省略の真空ポンプと連通可能となる。
【００３３】
これにより、上型１１と下型１２とで下側フィルム２を挟み込むと、下側フィルム２は両凸部１５ａ，１５ｂに接触するフィルム部位が上方に付勢され、上に凸に成形される。さらにその上型１１と下型１２とで下側フィルム２を挟んだ状態で真空ポンプによる吸引を行うと、凹溝１５ｃに対向するフィルム部位が吸引され、凹溝１５ｃの内形状に沿って凹部が形成される。よって、摘み成形部１５に位置するフィルム部位は、第一凸部１５ａ，第二凸部１５ｂの形状に沿って上方に突出する２つの凸部が形成されるとともに、その両凸部間に凹部２ｃ（凹溝に対向する部位）が形成される。
【００３４】
さらに、第一凸部１５ａと第二凸部１５ｂの上面は、微小で無数の凹凸が形成される。この上面は、例えばざらざらとしており、梨地状のような表面となっている。したがって、両凸部１５ａ，１５ｂにより形成された下側フィルム２の凸部の表面は、ざらざらとした状態となる。
【００３５】
さらにまた、凹溝１５ｃの高さ位置は、下型１２の上面１２ｄと等しくしている。つまり、本実施形態では、下型１２の上面に、上方に突出するように第一凸部１５ａと第二凸部１５ｂを設けることで、両凸部の上面の位置が高くなることから相対的に両凸部１５ａ，１５ｂ間に凹溝１５ｃが形成されており、当該凸部の上面位置に比べて相対的に低位置となった凹溝１５ｃが形成されるようにしている。
【００３６】
よって、この成型装置６にて成形された下側フィルム２は、下型１２の凹所１２ａに対向するフィルム部位は下側フィルム２の基準面よりも下方に突出し、両凸部１５ａ，１５ｂに対向するフィルム部位は下側フィルム２の基準面よりも上方に突出する。そして、凹溝１５ｃに対向するフィルム部位は、下側フィルム２の基準面と同じ位置となる。
【００３７】
図５，図６は、シール装置１０の具体的な構成を示している。同図に示すように、シール装置１０は、上側ボックス２１と下側ボックス２２とを備え、両ボックス２１，２２は、上側フィルム５，下側フィルム２の搬送タイミングに合わせて昇降移動するようになっている。図６に示すように、両ボックス２１，２２の間には、成型装置６にて成型された下側フィルム２の上方に上側フィルム５が覆われた状態で位置する。下側フィルム２には、下型１２の凹所１２ａによって形成された下方に突出するポケット部２ａと、摘み成形部１５により形成された上方に突出する凸部２ｂが形成される。さらに図６に示すように、２つの凸部２ｂ間のフィルム部位２ｃは、下側フィルム２の基準面と同じ位置となっている。
【００３８】
下側ボックス２２は、上開きの箱状になっていて、上部頂面に受けゴム２４を貼着するとともに、その内部に所定数（実施例では４個（２×２）を示している）の第一凹部２２ａを備える。第一凹部２２ａは、下側フィルム２に形成されたポケット部２ａに対向する位置に設ける。各凹部２２ａ間には、仕切壁１４が形成される。
【００３９】
また、第一凹部２２ａに隣接して平面略三角形状の第二凹部２２ｄを備える。この第二凹部２２ｄは、下側フィルム２に形成された凹部２ｂ及びその周辺のフィルム部位、すなわち、深絞り型包装体における摘み部分となるフィルム部位に対向する位置に設ける。
【００４０】
第一凹部２２ａ，第二凹部２２ｄの底面には、それぞれ上下に貫通する透孔２２ｂが形成されている。また、仕切壁１４の所定位置（ほぼ中央部）には上下に貫通する貫通孔（図示省略）が複数形成されている。透孔２２ｂ並びに貫通孔は、下側ボックス２２に形成した所定の通路２２ｃに連通され、その通路を介して外部に配置された図示省略の真空ポンプと連通可能となり、第一凹部２２ａ、第二凹部２２ｄ内等に存在する空気を吸引除去できる。なお、当該通路と真空ポンプの間には、開閉バルブ（図示せず）が設けられており、真空ポンプと連通したり、遮断したりできるようにしている。
【００４１】
一方、上側ボックス２１は、下開きの箱状の外枠２５の凹所２５ａに、層状に一体となったヒータ２７，シーラ２８が配置される。ヒータ２７内の所定位置には、例えば図示省略するヒートパイプが設けられ、そのヒートパイプの熱がヒータ２７ひいてはシーラ２８に伝わり、全体が加熱される。
【００４２】
そのシーラ２８の下面の所定位置には、第一凹部２８ａと第二凹部２８ｂが形成される。第一凹部２８ａの形成位置は、下側ボックス２２に形成した第一凹部２２ａに対向する位置とし、第二凹部２８ｂの形成位置は、下側ボックス２２に形成した第二凹部２２ｄに対向する位置とした。これらの各凹部２８ａ，２８ｂが形成されていないシーラ２８の下面がシール面となる。
【００４３】
すなわち、シーラ２８の凹部２８ａ，２８ｂが形成されていない下面の領域は、上側ボックス２１と下側ボックス２２で上側フィルム５と下側フィルム２を挟み込んだ際には、シーラ２８の当該シール面と、上記受けゴム２４との間で上側，下側フィルム５，２を所定圧力で挟持し、フィルムに接触するシール面から両フィルムを加熱することで接触部位を熱シールする。
【００４４】
さらに、第一凹部２８ａ内には、抑え板２９を配置している。この抑え板２９は、ポケット部２ａの上方を塞ぐ上側フィルム５のフィルム部位に接触し、抑えこむものである。ヒータ２７やシーラ２８とは熱的に遮断されており、接触するフィルム部位を加熱はしない。
【００４５】
各凹部２２ａ，２２ｄ，２８ａ，２８ｂに対向し、シーラ２８の下面が接触しないフィルム部位は、直接的にシーラ２８によって加熱されず、加圧もされないため、熱シールされない。よって、例えば、深絞り型包装体における摘み部分となるフィルム部位も加熱・加圧されず、当該フィルム部位の上側フィルム５と下側フィルム２は未シール部となる。
【００４６】
なお、具体的な説明を省略するが、このシールの際に下側ボックス２２の各凹部２２ａ，２２ｄや仕切壁２３の貫通孔を介して真空ポンプによる吸引を行うことなどにより、ポケット部２ａ内の空気を除去して真空処理を施す。これにより、ポケット部２ａ内が真空に引かれるとともに、ポケット部２ａの周囲にて上下のフィルムがシールされて密封される。
【００４７】
図７は、上述した本実施形態の深絞り包装機を用いて製造される深絞り型包装体３０を示している。ポケット部２ａの周囲に位置するフィルム部位は熱シールされてシール部３１となり、深絞り型包装体３０が密封される。また、この深絞り型包装体３０の４角のうちの一箇所は、摘み部分３２となる。図７（ａ）に示すように、この摘み部分３２は、成型装置６の摘み成形部１５で形成され２つの凸部２ｂと、その凸部２ｂ間に形成される凹部２ｃが形成される。また、凸部２ｂの外周囲は、深絞り型包装体３０の周縁よりも内側に位置するようになり、係る凸部２ｂの外周には下側フィルム２の外周縁２ｄが位置する。
【００４８】
この摘み部分３２では、上側フィルム５と下側フィルム２はシールされておらず、未接着となり、互いにフリーな状態となっている。この未接着の摘み部分３２は、深絞り型包装体３０の外周縁まで至るようにしている。
【００４９】
そして、図７（ｂ）に示すように、本発明では、２つの凸部２ｂの間に折り曲げ部となる凹部２ｃが形成されており、その凹部２ｃの部分で折り曲げている。すなわち、図７（ｃ）に拡大して示すように、凹部２ｃの底部の幅ｄ１に比べ凹部２ｃの開放側の両端距離ｄ２が接近するように変形するため、２つの凸部２ｂの上面が面一ではなく上面同士のなす角θ１が１８０度よりも小さくなる。その結果、摘み部分３２における下側フィルム２は、先端・外周縁が跳ね上がった状態となる。このようになす角θ１が１８０度よりも小さくすることで、上側フィルム５と下側フィルム２を確実に離反させ、空間を確保させる。よって、摘み部分３２における上側フィルム５と下側フィルム５が密着等することなく、両者を簡単に離すことができる。
【００５０】
さらに、図示するようにポケット部２ａに隣接する側の凸部２ｂの壁面も、下側フィルム２の基準面Ｌに対して垂直ではなくなす角θ２が鋭角となって斜めに立ち上がるため、下側フィルムの基準面Ｌに対して、係る隣接する側の凸部２ｂから上側フィルム５側に立ち上がるように傾斜させるようになり、摘み部分３２の全体をポケット部２ａの突出方向と反対側に斜めに傾斜させることができる。これにより、上側フィルム５も、係る摘み部分３２の根元（ポケット部２ａ側）から斜めに立ち上げることができ、摘み部分３２における上側フィルム５と下側フィルム２がより剥がれやすくなる。
【００５１】
また、本実施形態では、凸部２ｂの外側に下側フィルム２の外周縁２ｄを位置させて、凸部２ｂの上面によりも一段低い領域を設けているため、図７（ｂ）に示すように、係る外周縁２ｄと上側フィルム５の先端５ａとの間に、凸部２ｂの高さに相当する隙間を確保できる。よって、例えば、ユーザが指先或いは爪を、係る外周縁２ｄと上側フィルム５の先端５ａの間に入れることで、ユーザの指を上側フィルム５と下側フィルム２の間に容易に進入させ、両フィルムを引き離していくことができる。
【００５２】
さらにその進入に際し、凸部２ｂの表面がざらざらとしているので、指等が適宜に引っかかり、下側フィルム２をしっかりと保持することもできる。そして、未接着の摘み部分３２の根元部分まで上側フィルム５と下側フィルム２を開いたならば、そのまま両フィルム５、２を、それぞれ別々の片方の手で持つとともに、さらに引き離す方向に付勢することでシール部３１が剥がれていき、包装体が開封する。
【００５３】
図４（ｂ）は、本発明の別の実施形態の要部を示している。すなわち、この実施形態では、成型装置６の摘み成形部１５′の構成を変えている。具体的には、両凸部１５ａ′，１５ｂ′の上面の形状を多数の溝・凸条を形成している。これにより、この両凸部１５ａ′，１５ｂ′の上面に接触した下側フィルム２のフィルム部位は、図８に示すように、摘み部分３２を構成する下側フィルム２の凸部２ｂ′の表面には、摘み成形部１５′の両凸部１５ａ′，１５ｂ′の上面の形状に沿って多数の凸条が形成される。よって、上述した実施形態における凸部２ｂの表面がざらざらとした状態のものと同様に、当該凸条に指が適宜に引っかかり、容易かつ確実に下側フィルムを保持することができる。なお、その他の構成並びに作用効果は、上述した実施形態と同様とするとよい。
【００５４】
上側フィルム５と下側フィルム２のフィルム材は任意であり、例えば特許文献１に開示されたソフトタイプのように被包装物を収納するポケット部を備えた下側フィルムも軟らかい材質としても良いし、硬質のものを用いても良い。
【００５５】
上述した実施形態では、成型装置６の下型１２には、第一凸部１５ａと第二凸部１５ｂを設け、その間に一つの凹溝１５ｃを形成するようにしたが、本発明はこれに限ることはなく、例えば３つ以上設けて複数の凹溝を形成するようにしてもよい。また、図８において溝・凸条の形状を凹部２ｃと直交する方向に形成したり（縦目）、格子模様にしたりすることもできる。
【符号の説明】
【００５６】
２ 下側フィルム
２ａ  ポケット部
２ｂ，２ｂ′  凸部
２ｃ  凹部
５  上側フィルム
５ａ  
６  成型装置
１０  シール装置
１２  下型
１５，１５′  摘み成形部
１５ａ  第一凸部
１５ｂ  第二凸部
１５ｃ  凹溝
３０  深絞り型包装体
３１  シール部
３２  摘み部分
【図１】
2014114036.tif 000003
【図２】
2014114036.tif 000004
【図３】
2014114036.tif 000005
【図４】
2014114036.tif 000006
【図５】
2014114036.tif 000007
【図６】
2014114036.tif 000008
【図７】
2014114036.tif 000009
【図８】
2014114036.tif 000010